(57)【要約】【課題】受信感度が良好な放送局であって、かつ同一番組を放送中の放送局をサーチして自動的に放送局を切り換えようにした放送受信装置を提供する。【解決手段】放送されている放送情報を受信する放送受信手段と、受信している放送情報の番組情報を取得する取得手段と、取得手段により取得した番組情報を記憶する記憶手段と、放送受信手段の受信感度を判定する受信感度判定手段と、受信感度が良好な放送局をサーチするサーチ手段と、を備え、受信感度判定手段によって受信感度が良好でないと判定された場合に、サーチ手段よりサーチされた受信感度の良好な放送局にて放送されている放送情報の番組情報と記憶手段に予め記憶された今まで受信していた放送情報の番組情報とを比較し、同一の番組情報からなる放送情報を放送している放送局がある場合には、当該放送局を選局して放送情報を受信する。【選択図】図１
2009027288.tif 000002
【特許請求の範囲】
【請求項１】
放送局から放送された少なくとも音声信号を含む放送情報を受信する放送受信装置において、
放送されている放送情報を受信する放送受信手段と、
受信している放送情報の番組情報を取得する取得手段と、
前記取得手段により取得した番組情報を記憶する記憶手段と、
前記放送受信手段の受信感度を判定する受信感度判定手段と、
受信感度が良好な放送局をサーチするサーチ手段と、を備え、
前記受信感度判定手段によって前記受信感度が良好でないと判定された場合に、前記サーチ手段よりサーチされた受信感度の良好な放送局にて放送されている放送情報の番組情報と前記記憶手段に予め記憶された今まで受信していた放送情報の番組情報とを比較し、同一の番組情報からなる放送情報を放送している放送局がある場合には、当該放送局を選局して放送情報を受信することを特徴とする放送受信装置。
【請求項２】
前記番組情報を比較した際に、同一の番組情報からなる放送情報を放送している放送局がない場合には、サーチされた受信感度の良好な放送局の中から所定の放送局を選局して放送情報を受信することを特徴とする請求項１に記載の放送受信装置。
【請求項３】
前記所定の放送局を選局する際に、前記サーチされた受信感度の良好な放送局にて放送されている放送情報の番組情報を表示する表示手段と、
前記表示手段に表示された番組情報に基づき受信する放送局を選択する選択手段と、
を備えたことを特徴とする請求項２に記載の放送受信装置。
【請求項４】
前記所定の放送局を選局する際に、前記サーチされた受信感度の良好な放送局のうち最初にサーチされた放送局を選局することを特徴とする請求項２に記載の放送受信装置。
【請求項５】
前記番組情報は、受信している放送情報に含まれていることを特徴とする請求項１ないし請求項４の何れか１項に記載の放送受信装置。
【請求項６】
放送局から放送された少なくとも音声信号を含む放送情報を受信する放送受信装置の受信制御方法において、
放送されている放送情報を受信する放送受信工程と、
受信している放送情報の番組情報を取得する取得工程と、
前記取得手段により取得した番組情報を記憶する記憶工程と、
前記放送受信手段の受信感度を判定する受信感度判定工程と、
受信感度が良好な放送局をサーチするサーチ工程と、
前記受信感度判定工程によって前記受信感度が良好でないと判定された場合に、前記サーチ工程にてサーチされた受信感度の良好な放送局にて放送されている放送情報の番組情報と前記記憶工程にて予め記憶された今まで受信していた放送情報の番組情報とを比較する比較工程と、
同一の番組情報からなる放送情報を放送している放送局がある場合には、当該放送局を選局する選局工程と、
を含むことを特徴とする受信制御方法。
【請求項７】
前記比較工程にて同一の番組情報からなる放送情報を放送している放送局がない場合には、前記選局工程は、サーチされた受信感度の良好な放送局の中から所定の放送局を選局する工程を含むことを特徴とする請求項６に記載の受信制御方法。
【請求項８】
前記選局工程は、前記サーチされた受信感度の良好な放送局にて放送されている放送情報の番組情報を表示する表示工程と、
前記表示工程にて表示された番組情報に基づき受信する放送局を選択する選択工程と、
を含むことを特徴とする請求項７に記載の受信制御方法。
【請求項９】
前記選局工程は、前記サーチされた受信感度の良好な放送局のうち最初にサーチされた放送局を選局することを特徴とする請求項７に記載の受信制御方法。
【請求項１０】
前記番組情報は、受信している放送情報に含まれていることを特徴とする請求項６ないし請求項９の何れか１項に記載の受信制御方法。
【発明の詳細な説明】
【技術分野】
【０００１】
本発明は、放送番組を受信することができる車載型あるいは携帯型の放送受信装置に関するものであり、特に、受信感度が良好な放送局であって、かつ同一番組を放送中の放送局をサーチして自動的に放送局を切り換えようにした放送受信装置およびその受信制御方法に関するものである。
【背景技術】
【０００２】
近年、車載型のナビゲーション装置の性能は飛躍的に向上し、多機能化が進んでいる。特に、出発地から目的地までの経路を自動的に検索し、検索された経路を誘導経路として地図上に表示する経路探索機能と音楽ＣＤやラジオ放送番組などを車内で楽しむためのオーディオ機能を搭載したナビゲーションシステムが提供されている。
【０００３】
また、アンテナ等を用いてテレビ放送（無線映像情報）を受信し、ＬＣＤ等の表示装置を用いて表示するテレビ放送受信機能を備えたナビゲーション装置も存在する。テレビ放送は大きく分けて、従来より存在するアナログテレビ放送と、近年になって普及し始めたデジタルテレビ放送との二つが存在する。
【０００４】
しかしナビゲーション装置に搭載されている従来のテレビ放送受信装置は、通常の家庭用テレビと異なり、移動しながらテレビ放送を受信することが前提とされる。そのため、車両の移動に伴い常に電波状況が変化するため、表示する映像情報の品質を一定に保つのが難しいという問題があった。
【０００５】
この問題に関連して自動車等の移動体が移動しながら放送を受信する際に、受信可能な放送信号や放送周波数が随時変化する場合においても、継続的に番組を視聴可能なように制御を行うナビゲーション装置が様々に提案されている。
【０００６】
例えば、下記の特許文献１（特開２００３−１５８６９０号公報）には、車両の現在位置において少なくとも地上波放送で受信可能なチャンネルを提供することができる技術が開示されている。
【０００７】
この特許文献１に開示された技術は、複数のチャンネルからなる放送を受信し、選択されたチャンネルの映像または／および音声を出力する車載用受信装置であって、車両の現在位置を検出する現在位置検出手段と、地上波放送の各放送エリアとその放送エリア内で受信可能なチャンネルおよびそのチャンネルの情報とを対応付けして格納する地上波チャンネルＤＢと、検出した現在位置により地上波放送の放送エリアを特定し、地上波チャンネルＤＢから特定した放送エリア内で受信可能なチャンネルを抽出し、現在位置において地上波放送で受信可能なチャンネルおよびそのチャンネルの情報の一覧を作成するチャンネル一覧作成手段と、その一覧を出力するチャンネル一覧出力手段と、を備えるように構成されているものである。
【０００８】
このように構成することにより、車両の現在位置を検出し、その現在位置において地上波放送で受信可能なチャンネルおよびそのチャンネルの情報の一覧を出力するため、車両が現在位置を移動して地上波放送の放送エリアが変っても、現在位置における放送エリアで受信可能なチャンネルおよびそのチャンネルの情報を提供するので、チャンネルの選択を簡単化することができる。
【０００９】
また、下記の特許文献２（特開２００５−３１１９２１号）には、移動体が境界エリアに侵入すると、現在選局している放送局（チャンネル）の系列局の放送も受信して、両放送から電子番組情報（ＥＰＧ：Ｅｌｅｃｔｒｏｎｉｃ  Ｐｒｏｇｒａｍ  Ｇｕｉｄｅ）を取得し、その電子番組情報に基づいて両放送の番組が同一番組であるか否かを判定し、同一番組である場合にのみチャンネルを系列局に切り換える技術が開示されている。
【００１０】
この特許文献２に開示された技術は、移動体が境界エリアに侵入すると、第１の受信系統で選局されている放送局（チャンネル）の系列局の放送を第２の受信系統で受信し、ＥＰＧ処理部によって両放送から電子番組情報（ＥＰＧ）を取得し、その電子番組情報に基づいて両放送の番組が同一番組であるか否かを判定し、同一番組である場合に出力切り換え部を制御して、チャンネルを系列局に切り換えるように構成されているものである。
【００１１】
このように構成することにより、移動体がある放送エリアから別の放送エリアに侵入するとき、当初選局していた放送局（チャンネル）の系列局で別のコンテンツ（番組）が放送されていた場合であっても、突然別の番組がモニタ表示されることを回避でき、視聴中の番組が突然別の番組に切り換わるという不快感を利用者（視聴者）に与えずに済ませることができる。
【特許文献１】特開２００３−１５８６９０号公報（段落［０００６］、図２）
【特許文献２】特開２００５−３１１９２１号公報（段落［００１２］〜［００１９］、図１）
【発明の開示】
【発明が解決しようとする課題】
【００１２】
しかしながら上記の特許文献１の車載用受信装置においては、移動した先で同じ番組の視聴を継続する際のチャンネルの選局を簡単にする目的のために、各放送エリアの受信可能チャンネルを予めメモリに格納しておき、現在位置から放送エリアを特定してチャンネル一覧を表示し、表示されたチャンネル一覧からユーザが選択することで選局を行う。
【００１３】
これによって、移動した放送エリアを特定してチャンネル一覧を表示することにより選択するチャンネル数が絞り込まれるため、同じ番組のチャンネルの選局が容易になるものの、放送エリアを特定するためにＧＰＳ衛星からのＧＰＳ信号を受信して現在位置を検出する手段が必要であるという問題点があった。
【００１４】
また、上記の特許文献２の移動体用放送受信機においては、現在位置検出手段により境界エリアに侵入したことが検出されると、第１の受信系統で受信している放送局と第２の受信系統で受信した放送局のＥＰＧを取得し、両放送の番組が同一の番組である場合に、チャンネルを切り換えるため、現在位置情報を通知するためのナビゲーションシステムに加えて、放送を受信する受信系統が２つ必要であり、高価なシステムになるという問題があった。
【００１５】
本願の発明者は上記の問題点を解消すべく種々検討を重ねた結果、現在受信している放送局のＥＰＧデータから放送中の番組情報を取得し記憶しておき、受信感度が低下するとサーチを行って新たに受信した放送局のＥＰＧデータからの番組情報と予め記憶している番組情報とを比較し、同じ番組情報の放送局を選局するようになせば、上記の問題点を解消し得ることを想到し本発明を完成するに至ったものである。
【００１６】
すなわち、本発明は、上記の問題点を解消することを課題とし、受信感度が良好な放送局であって、かつ同一番組を放送中の放送局をサーチして自動的に放送局を切り換えようにした放送受信装置を提供することを目的とするものである。
【課題を解決するための手段】
【００１７】
前記課題を解決するために、本願の請求項１にかかる発明は、
放送局から放送された少なくとも音声信号を含む放送情報を受信する放送受信装置において、
放送されている放送情報を受信する放送受信手段と、
受信している放送情報の番組情報を取得する取得手段と、
前記取得手段により取得した番組情報を記憶する記憶手段と、
前記放送受信手段の受信感度を判定する受信感度判定手段と、
受信感度が良好な放送局をサーチするサーチ手段と、を備え、
前記受信感度判定手段によって前記受信感度が良好でないと判定された場合に、前記サーチ手段よりサーチされた受信感度の良好な放送局にて放送されている放送情報の番組情報と前記記憶手段に予め記憶された今まで受信していた放送情報の番組情報とを比較し、同一の番組情報からなる放送情報を放送している放送局がある場合には、当該放送局を選局して放送情報を受信することを特徴とする。
【００１８】
また、本願の請求項２にかかる発明は、請求項１にかかる放送受信装置において、前記番組情報を比較した際に、同一の番組情報からなる放送情報を放送している放送局がない場合には、サーチされた受信感度の良好な放送局の中から所定の放送局を選局して放送情報を受信することを特徴とする。
【００１９】
また、本願の請求項３にかかる発明は、請求項２にかかる放送受信装置において、前記所定の放送局を選局する際に、前記サーチされた受信感度の良好な放送局にて放送されている放送情報の番組情報を表示する表示手段と、前記表示手段に表示された番組情報に基づき受信する放送局を選択する選択手段と、を備えたことを特徴とする。
【００２０】
また、本願の請求項４にかかる発明は、請求項２にかかる放送受信装置において、前記所定の放送局を選局する際に、前記サーチされた受信感度の良好な放送局のうち最初にサーチされた放送局を選局することを特徴とする。
【００２１】
また、本願の請求項５にかかる発明は、請求項１ないし請求項４の何れか１項にかかる放送受信装置において、前記番組情報は、受信している放送情報に含まれていることを特徴とする。
【００２２】
また、本願の請求項６にかかる発明は、
放送局から放送された少なくとも音声信号を含む放送情報を受信する放送受信装置の受信制御方法において、
放送されている放送情報を受信する放送受信工程と、
受信している放送情報の番組情報を取得する取得工程と、
前記取得手段により取得した番組情報を記憶する記憶工程と、
前記放送受信手段の受信感度を判定する受信感度判定工程と、
受信感度が良好な放送局をサーチするサーチ工程と、
前記受信感度判定工程によって前記受信感度が良好でないと判定された場合に、前記サーチ工程にてサーチされた受信感度の良好な放送局にて放送されている放送情報の番組情報と前記記憶工程にて予め記憶された今まで受信していた放送情報の番組情報とを比較する比較工程と、
同一の番組情報からなる放送情報を放送している放送局がある場合には、当該放送局を選局する選局工程と、
を含むことを特徴とする。
【００２３】
また、本願の請求項７にかかる発明は、請求項６にかかる受信制御方法において、前記比較工程にて同一の番組情報からなる放送情報を放送している放送局がない場合には、前記選局工程は、サーチされた受信感度の良好な放送局の中から所定の放送局を選局する工程を含むことを特徴とする。
【００２４】
また、本願の請求項８にかかる発明は、請求項７にかかる受信制御方法において、前記選局工程は、前記サーチされた受信感度の良好な放送局にて放送されている放送情報の番組情報を表示する表示工程と、前記表示工程にて表示された番組情報に基づき受信する放送局を選択する選択工程と、を含むことを特徴とする。
【００２５】
また、本願の請求項９にかかる発明は、請求項７にかかる受信制御方法において、前記選局工程は、前記サーチされた受信感度の良好な放送局のうち最初にサーチされた放送局を選局することを特徴とする。
【００２６】
また、本願の請求項１０にかかる発明は、請求項６ないし請求項９の何れか１項にかかる受信制御方法において、前記番組情報は、受信している放送情報に含まれていることを特徴とする。
【発明の効果】
【００２７】
請求項１、請求項６にかかる発明においては、放送受信装置は、放送されている放送情報の受信感度が良好でないと判定された場合に、サーチ手段よりサーチされた受信感度の良好な放送局にて放送されている放送情報の番組情報と記憶手段に予め記憶された今まで受信していた放送情報の番組情報とを比較し、同一の番組情報からなる放送情報を放送している放送局がある場合には、当該放送局を選局して放送情報を受信する。
【００２８】
このような構成によれば、受信感度が良好な放送局であって、かつ同一番組を放送中の放送局をサーチして自動的に放送局を切り換えられるため、容易に同一番組を受信感度の良い状態で視聴することが可能である。このため、目的の番組が放送中であるか手動で調べたり目的の番組を設定したりする必要がなく、視聴していた番組を継続的に視聴することが可能であり、ユーザにとっての利便性が向上する。
【００２９】
また、請求項２、請求項７にかかる発明のおいては、請求項１にかかる放送受信装置、または、請求項６にかかる受信制御方法において、前記番組情報を比較した際に、同一の番組情報からなる放送情報を放送している放送局がない場合には、サーチされた受信感度の良好な放送局の中から所定の放送局を選局して放送情報を受信する。
【００３０】
このような構成によれば、受信感度が良好な放送局をサーチして自動的に放送局を切り換えられるため、容易に放送番組を受信感度の良い状態で視聴することが可能である。このため、受信感度の良い放送番組があるか手動で調べたり受信感度の良い放送番組を設定したりする必要がなく、放送番組を継続的に視聴することが可能であり、ユーザにとっての利便性が向上する。
【００３１】
また、請求項３、請求項８にかかる発明のおいては、請求項２にかかる放送受信装置、または、請求項７にかかる受信制御方法において、前記所定の放送局を選局する際に、前記サーチされた受信感度の良好な放送局にて放送されている放送情報の番組情報を表示し、表示された番組情報に基づき受信する放送局を選択する。
【００３２】
このような構成によれば、受信感度が良好な放送局を自動的にサーチしてユーザが所望する放送局に切り換えられるため、容易にユーザが所望する番組を受信感度の良い状態で視聴することが可能である。このため、受信感度の良い放送番組があるか手動で調べる必要がなく、ユーザが視聴を希望する番組を継続的に視聴することが可能であり、ユーザにとっての利便性が向上する。
【００３３】
また、請求項４、請求項９にかかる発明のおいては、請求項２にかかる放送受信装置、または、請求項７にかかる受信制御方法において、前記所定の放送局を選局する際に、前記サーチされた受信感度の良好な放送局のうち最初にサーチされた放送局を選局する。
【００３４】
このような構成によれば、受信感度が良好な放送局をサーチして自動的に放送局を切り換えられるため、容易に放送番組を受信感度の良い状態で視聴することが可能である。このため、受信感度の良い放送番組があるか手動で調べたり受信感度の良い放送番組を設定したりする必要がなく、放送番組を継続的に視聴することが可能であり、ユーザにとっての利便性が向上する。
【００３５】
また、請求項５、請求項１０にかかる発明のおいては、請求項１ないし請求項４にかかる放送受信装置、または、請求項６ないし請求項９にかかる受信制御方法において、前記番組情報は、受信している放送情報に含まれている。
【００３６】
このような構成によれば、受信している放送情報に含まれている番組情報い基づいて、受信感度が良好な放送局であって、かつ同一番組を放送中の放送局をサーチして自動的に放送局を切り換えられるため、容易に同一番組を受信感度の良い状態で視聴することが可能である。このため、目的の番組が放送中であるか手動で調べたり目的の番組を設定したりする必要がなく、視聴していた番組を継続的に視聴することが可能であり、ユーザにとっての利便性が向上する。
【発明を実施するための最良の形態】
【００３７】
以下、本発明の具体例を実施例及び図面を用いて詳細に説明する。但し、以下に示す実施例は、本発明の技術思想を具体化するための放送受信装置を例示するものであって、本発明をこの放送受信装置に特定することを意図するものではなく、特許請求の範囲に含まれるその他の実施形態の放送受信装置にも等しく適用し得るものである。
【実施例】
【００３８】
図１は、本発明の実施例にかかる放送受信装置の構成を示すブロック図である。車載用放送受信装置１０は、制御部１０１、アンテナ部１０２、フロントエンド部１０３、復調部１０４、デマルチプレクサ１０５、オーディオデコーダ１０６、ビデオデコーダ１０７、音声出力部１０８、表示制御部１０９、表示合成部１１０、表示部１１１、記憶部１１２、操作入力部１１３などを備えて構成されている。
【００３９】
なお、本実施例は、車載用の放送受信装置を示すものであるが、放送受信機能を有する携帯電話機や携帯ゲーム機などの携帯型の放送受信装置であってもよい。
【００４０】
また、本実施例では、制御部１０１は、マイクロプロセッサを中心に構成され、一般的なコンピュータ装置と同様にＲＡＭ、ＲＯＭなどのメモリを備えており、ＲＯＭに格納されている各種制御プログラムを読み出し、ＲＡＭ内のプログラム格納領域に展開し、該制御プログラムに従って各部の動作を制御する。
【００４１】
すなわち、制御部１０１は、制御プログラムに従って各部の動作を制御し、受信している放送情報の番組情報を取得する取得手段として、また、放送受信手段の受信感度を判定する受信感度判定手段として、更に、受信感度が良好な放送局をサーチするサーチ手段としての機能を遂行する。番組情報取得手段により取得された番組情報は記憶手段である記憶部１１２に記憶される。
【００４２】
また、アンテナ部１０２、フロントエンド部１０３および復調部１０４により放送受信手段が構成される。表示合成部１１０および表示部１１１により表示手段が構成され、操作入力部１１３により、前記表示手段に表示された番組情報に基づき受信する放送局を選択する選択手段が構成される。
【００４３】
アンテナ部１０２は、放送局から送信される放送電波を受信する。アンテナ部１０２によって受信された電波は、フロントエンド部１０３に送られる。
【００４４】
フロントエンド部１０３は、アンテナ部１０２によって受信された電波を、ＲＦ（Ｒａｄｉｏ  Ｆｒｅｑｕｅｎｃｙ）信号（高周波信号）に復調するための回路である。復調により得られたＲＦ信号は、復調部１０４に送られる。
【００４５】
復調部１０４は、フロントエンド部１０３によって復調されたＲＦ信号を、ベースバンド信号（変調されていない音声情報、映像情報、ＥＰＧデータ等の情報を含んだ信号）へと周波数変換するための回路である。周波数変換により得られたベースバンド信号は、デマルチプレクサ１０５に送られる。
【００４６】
デマルチプレクサ１０５は、復調部１０４によって周波数変換されたベースバンド信号を、オーディオ信号データ（音声データ）とビデオ信号データ（映像データ）とＥＰＧデータとに分離するための回路である。分離されたオーディオ信号データは、オーディオデコーダ１０６に送られる。また、分離されたビデオ信号データは、ビデオデコーダ１０７に送られる。また、ＥＰＧデータは、制御部１０１に送られる。
【００４７】
オーディオデコーダ１０６は、アナログデータ或いはデジタルデータであるオーディオ信号を、音声出力部１０８により音声出力するための信号に復号する復号用回路である。音声出力部１０８は、オーディオデコーダ１０６によって復号された音声信号を音声として出力するための拡声器である。
【００４８】
ビデオデコーダ１０７は、アナログデータ或いはデジタルデータであるビデオ信号を、表示部１１１により映像出力するための信号に復号する復号用回路である。表示部１１１は、ビデオデコーダ１０７によって復号された映像信号を映像に変換して表示するための装置であり、例えばＬＣＤ（液晶表示装置）や有機ＥＬＤ等の表示装置から構成される。
【００４９】
記憶部１１２は、放送受信装置１０が保持する各種データ（ＥＰＧデータ、番組情報データ等）を記録するための記憶媒体である。好ましくは大容量の記憶容量を有するハードディスクが用いられる。なお、記憶部１１２は、複数の領域（パーティション）に物理的に分割されており、記憶するデータの種別に応じて領域別に記憶することがより望ましい。記憶部１１２は少なくとも、放送中の放送情報に含まれるＥＰＧデータより構成される現在放送中の番組情報データを記憶する領域である番組情報データ記憶領域１１２ａを含むように構成されている。
【００５０】
制御部１０１は、デマルチプレクサ１０５を介して受け取ったＥＰＧデータに基づき現在放送している放送局の番組情報を取得し、記憶部１１２の番組情報データ記憶領域１１２ａに記憶する。また、制御部１０１は、記憶部１１２の番組情報データ記憶領域１１２ａに記憶されている番組情報データの中から特定の放送局の番組情報を検索して抽出する処理を行い、抽出したデータを表示制御部１０９に渡す。
【００５１】
表示制御部１０９は、制御部１０１が抽出したデータを基に、表示部１１１を用いてユーザに対して表示する番組リストを作成するための回路である。例えば、図３に示すように、チャンネル毎に放送中の番組が示されている番組リストが作られる。
【００５２】
図３は、表示部１１１に表示される番組リストの一例を示している。
【００５３】
具体的には、表示部１１１の表示画面３００にユーザに受信を希望するチャンネルの選択を促すメッセージ３０１を表示するとともに、受信可能なチャンネル番号（ＣＨ）と放送中の番組タイトルが表記された８つのボタンアイコン３０２が設けられている。ユーザによって視聴を希望するチャンネル番号のボタンアイコンがタッチされると、制御部１０１は該当するチャンネルの放送局を選局し、当該放送局からの放送を受信する。
【００５４】
表示合成部１１０は、ビデオデコーダ１０７によって復号された映像信号と、表示制御部１０９によって作成された番組リスト映像信号とを合成するための回路である。主に、ユーザが番組を視聴しながら、同時に番組リストを見る場合などに使用される。
【００５５】
操作入力部１１３は、ユーザが番組を視聴する放送局の選局や、装置の電源のＯＮ／ＯＦＦ等の指示を放送受信装置１０に対して行なうための入力用インターフェースであり、タッチパネル式液晶モニタ上に表示されるボタンアイコン等により構成されている。タッチパネルは、表示部１１１のＬＣＤ表示面に設けられ、表示面の任意の位置における指などの押圧あるいは接触を検出して位置検出信号を生成し、その位置検出信号を制御部１０１に対して動作制御信号として出力する。ユーザは表示されるボタンアイコンをタッチすることにより、所望の放送局の番組を視聴することが可能である。
【００５６】
また、制御部１０１は、アンテナ部１０２の受信感度を検出し、検出した受信感度と所定の閾値とを比較して検出された受信感度が所定の閾値を下回った（すなわち、受信感度が低下した）ときに、受信感度が良好でないと判定する。このとき、制御部１０１は、受信周波数（チャンネル）を変化させて放送を受信できる放送局をサーチする。
【００５７】
制御部１０１は、サーチによって受信可能な放送局が見つけると、当該放送局から受信した放送情報に含まれるＥＰＧデータに基づき現在放送している番組情報を取得し、この取得した番組情報と既に記憶部１１２の番組情報データ記憶領域１１２ａに記憶されている受信感度が低下した放送局の番組情報とを比較する。比較した結果、両者の番組情報が同じ場合には、サーチによって見つかった放送局からの受信に切り換える。一方、両者の番組情報が異なる場合には、新たに取得した番組情報を記憶部１１２の番組情報データ記憶領域１１２ａに記憶して、全周波数（チャンネル）について放送を受信できる放送局のサーチを継続する。
【００５８】
そして、制御部１０１は、全周波数（チャンネル）について放送を受信できる放送局のサーチが終了すると、記憶部１１２の番組情報データ記憶領域１１２ａに記憶されている番組情報データの中から受信可能な放送局の番組リストデータを抽出し、抽出したデータを表示制御部１０９に渡す。
【００５９】
表示制御部１０９は、制御部１０１が抽出したデータを基に、図３に示すような番組リストを作成し、表示部１１１に出力する。
【００６０】
次に、本発明にかかる放送受信装置の動作について説明する。
【００６１】
図２は、本実施例にかかる放送受信装置の動作を示すフローチャートである。
【００６２】
なお、図２に示す動作は制御部１０１に備えられたＲＯＭに記憶されている制御プログラムを実行することで実現される。
【００６３】
図２のフローチャートにおいて、ステップＳ２００において、ユーザにより表示部１１１のタッチパネルから所望の放送局の選局を行い、選局された放送局から放送情報を受信するとともに、放送情報に含まれるＥＰＧデータに基づき現在受信している放送局の番組情報を取得し、ステップＳ２０１では、取得した番組情報を記憶部１１２に記憶する。
【００６４】
ステップＳ２０２において、制御部１０１は、アンテナ部１０２の受信感度を検出し、検出された受信感度と所定の閾値とを比較することで受信感度が低下したか否か判定し、感度が低下した場合にはステップＳ２０３に進み、一方、感度が低下していない場合にはステップＳ２０１の処理に戻る。
【００６５】
受信感度が低下すると、ステップＳ２０３において、受信周波数（チャンネル）を変化させて放送を受信できる放送局をサーチする。受信可能な放送局が見つかると、ステップＳ２０４において、その放送局から放送情報を受信するとともに、放送情報に含まれるＥＰＧデータに基づき現在放送している番組情報を取得する。
【００６６】
そして、ステップＳ２０５において、記憶部１１２に記憶されている受信感度が低下した放送局の番組情報と新たに取得された放送局の番組情報とを比較して同一番組が放送中であるか否か判定し、同一番組が放送されている場合にはステップＳ２０６に進み、ステップＳ２０６では放送中の同一番組を受信して処理を終了する。
【００６７】
一方、同一番組が放送されていない場合にはステップＳ２０７に進み、ステップＳ２０７では取得した番組情報を記憶部１１２に記憶する。
【００６８】
次に、ステップＳ２０８において、全周波数（チャンネル）について放送を受信できる放送局のサーチが終了したか否か判定し、放送局のサーチが終了している場合にはステップＳ２０９に進み、一方、放送局のサーチが終了していない場合にはステップＳ２０３の処理に戻る。
【００６９】
全周波数（チャンネル）について放送を受信できる放送局のサーチが終了すると、ステップＳ２０９において、ステップＳ２０７の処理により記憶部１１２に記憶された番組情報の中から受信可能な放送局の番組リストデータを抽出し、抽出されたデータに基づき作成された番組リストを表示部１１１に表示する。
【００７０】
ステップＳ２１０では、表示部１１１に表示された番組リストから選択されたチャンネル（放送局）の番組を受信し、処理を終了する。
【００７１】
以上説明したように本発明にかかる放送受信装置によれば、受信感度が良好な放送局であって、かつ同一番組を放送中の放送局をサーチして自動的に放送局を切り換えられるため、容易に同一番組を受信感度の良い状態で視聴することが可能である。このため、目的の番組が放送中であるか手動で調べたり目的の番組を設定したりする必要がなく、視聴していた番組を継続的に視聴することが可能であり、ユーザにとっての利便性が向上する。
【００７２】
また、受信感度が良好な放送局を自動的にサーチしてユーザが所望する放送局に切り換えられるため、容易にユーザが所望する番組を受信感度の良い状態で視聴することが可能である。このため、受信感度の良い放送番組があるか手動で調べる必要がなく、ユーザが視聴を希望する番組を継続的に視聴することが可能であり、ユーザにとっての利便性が向上する。
【００７３】
上記実施例では、同じ番組名の放送局がない場合に、ＥＰＧデータの中から現在放送している番組名を記憶しておき、それをリスト表示して選択できるように構成した場合について説明したが、これに限られることはなく、放送局のサーチを開始して受信可能な最初の放送局の番組を受信するように制御してもよい。
【００７４】
また、上記実施例では、テレビ放送番組における選局について説明したが、放送番組はこれに限ることなく、ラジオ放送番組などの音声信号のみの放送番組の選局について適用することも可能である。
【図面の簡単な説明】
【００７５】
【図１】本発明の実施例にかかる放送受信装置の構成を示すブロック図である。
【図２】本実施例にかかる放送受信装置の動作を示すフローチャートである。
【図３】本実施例にかかる表示部に表示される番組リストの一例を示している。
【符号の説明】
【００７６】
１０・・・・放送受信装置
１０１・・・・制御部
１０２・・・・アンテナ部
１０３・・・・フロントエンド部
１０４・・・・復調部
１０５・・・・デマルチプレクサ
１０６・・・・オーディオデコーダ
１０７・・・・ビデオデコーダ
１０８・・・・音声出力部
１０９・・・・表示制御部
１１０・・・・表示合成部
１１１・・・・表示部
１１２・・・・記憶部
１１３・・・・操作入力部
【図１】
2009027288.tif 000003
【図２】
2009027288.tif 000004
【図３】
2009027288.tif 000005